(57)【要約】【課題】画像データをネットワーク上から閲覧して印刷する場合の設定に対する負担を軽減することができ、満足な印刷結果を得ることができるデータ処理方法を提供する。【解決手段】クライアントから画像処理装置にアクセスの要求が行われると、クライアントでは、インデックスが提示される。クライアントはインデックスから画像を指定すると、画像処理装置は表示用情報をクライアントに送信する。クライアント側で印刷ボタン４３が押下されると、指定されたプリンタに画像データとプリンタ設定情報が送信される。【選択図】図１３
2006331435.tif 000002
【特許請求の範囲】
【請求項１】
複数の画像データ記憶可能な記憶手段を具備する画像処理装置の前記記憶手段に記憶された画像データの閲覧要求を、データ処理装置から前記画像処理装置へ、送信させ、
前記画像処理装置による前記閲覧要求の受信がなされたうえで前記画像処理装置から出力される、前記画像処理装置が具備する前記記憶手段の画像データの閲覧表示データを、前記データ処理装置により、受信させ、
前記データ処理装置による前記閲覧表示データの受信がなされたうえで、前記画像データの前記閲覧表示データを前記データ処理装置の表示手段により表示させ、且つ、前記データ処理装置の前記表示手段を介して、前記画像データの印刷要求を、ユーザから受付可能にし、
前記画像処理装置が具備する前記記憶手段に記憶されている画像データのうちの、前記データ処理装置の前記表示手段により前記閲覧表示データが表示対象の画像データに該当する画像データを、前記データ処理装置の前記表示手段を介して前記印刷要求がなされたうえで、前記画像処理装置により、印刷させる、
ことを特徴とするデータ処理方法。
【請求項２】
前記データ処理装置の前記表示手段を介して前記印刷要求がなされたうえで前記記憶手段の画像データを印刷させる場合に、前記画像データを前記記憶手段に記憶する前に前記画像処理装置が具備する操作手段を介して予め設定された印刷条件でもって、前記画像データを印刷可能にする、ことを特徴とする請求項１記載のデータ処理方法。
【請求項３】
前記データ処理装置の前記表示手段により表示させる、前記印刷指示をユーザから受付ける為の印刷指示部を具備する表示画面の、当該印刷指示部を介して、前記印刷指示が、入力されたうえで、前記画像データを前記画像処理装置により印刷可能にする、ことを特徴とする請求項１又は２記載のデータ処理方法。
【請求項４】
前記画像データを前記画像処理装置により印刷できない場合に、前記画像処理装置以外の他の画像処理装置により前記画像データを印刷可能にすることを特徴とする請求項１〜３の何れかに記載のデータ処理方法。
【請求項５】
前記画像データを前記画像処理装置以外の前記データ処理装置の前記表示手段を介してユーザにより選択された他の画像処理装置により印刷可能にする、ことを特徴とする請求項１〜４の何れかに記載のデータ処理方法。
【請求項６】
前記閲覧表示データとして、前記記憶手段の画像データ、又は、前記画像データの縮小画像データを、前記データ処理装置の前記表示手段により表示可能にすることを特徴とする請求項１〜５の何れかに記載のデータ処理方法。
【請求項７】
前記画像データに対する管理権限を示す、前記画像データの閲覧及び前記画像データの削除及び前記画像データの印刷条件の変更のうちの少なくとも何れかを行う際に利用するユーザＩＤを、前記記憶手段に記憶させる、請求項１〜６の何れかに記載のデータ処理方法。
【請求項８】
請求項1〜７の何れかに記載のデータ処理方法を実行するためのコンピュータ読取可能な記憶媒体。
【請求項９】
請求項1〜７の何れかに記載のデータ処理方法を実行するためのデータ処理装置。
【発明の詳細な説明】
【技術分野】
【０００１】
本発明は、ネットワークに接続された複数のクライアントコンピュータから閲覧可能な画像データベースを構築する際などに用いられるデータ処理方法、データ処理装置および記憶媒体に関する。
【背景技術】
【０００２】
従来、オペレータは、読み取り装置により画像を読み取り、読み取った画像データをデータベースサーバに登録していた。一般に、画像データベースを構築する場合、読み取り装置により画像を読み取り、その対象画像に名前、検索用キーワードなどを付加し、独自のフォーマットで記憶装置に格納する。データを格納して公開する装置と読み取り装置とは別々に存在し、読み込んだ画像データはサーバ側にＳＣＳＩやパラレルＩ／Ｆを介してあるいはネットワークを通じて転送される。
【０００３】
画像データベースは、ネットワーク上で公開されており、最近ではＷＷＷ（Ｗｏｒｌｄ  Ｗｉｄｅ  Ｗｅｂ）を利用してネットワーク上のクライアントに公開されることも行われている。登録された画像データを利用する場合、このＷＷＷブラウザツールを利用し、画像データの名前、キーワードなどにより検索を行って画像を表示する。
【０００４】
また一方、必要に応じて画像を印刷する場合、画像の利用者がプリンタを選択し、プリンタの印刷時の条件を設定する。
【発明の開示】
【発明が解決しようとする課題】
【０００５】
しかしながら、ネットワーク上でＷＷＷを利用して公開されている画像データはその画像が読み込まれた形で閲覧可能な装置に提供されているが、最近の読み取り装置は１２００ｄｐｉ、６００ｄｐｉなどの高解像度のものが多く、そのままの解像度ではデータのサイズが大きく、それをクライアント側に送信すると、ネットワークの負荷、転送時間の増大を招いてしまうという問題があった。
【０００６】
また、元の画像を公開してしまうと、登録者の意図に反して勝手に改変が加えられてしまうといった問題もあった。
【０００７】
また一方、公開されている画像データを閲覧可能な装置で印刷する場合、自由度が高いものの、プリンタの選択、印刷条件の設定などを全てクライアント側で行わなくてはならず、印刷に手間がかかっていた。
【０００８】
また、画像データの特性に合わせて設定しなければ、所望の印刷結果が得られないという問題もあった。
【０００９】
さらに、印刷時、選択されたプリンタに障害が発生する場合もあり得るが、障害発生時には障害を取り除くか、別のプリンタに選択し直して再度設定しなくてはならなかった。
【００１０】
そこで、本発明は、画像データを閲覧する際、データのサイズを小さくして転送の時間を短くすると共に、元画像の閲覧に対する制限と画像の保護を図ることができるデータ処理方法、データ処理装置および記憶媒体を提供することを目的とする。
【００１１】
また、本発明は、画像データをネットワーク上から閲覧して印刷する場合の設定に対する負担を軽減することができ、満足な印刷結果を得ることができるデータ処理方法、データ処理装置および記憶媒体を提供することを他の目的とする。
【００１２】
さらに、本発明は、プリンタ障害に対してクライアント側で手を煩わすことなく、別のプリンタに出力することができるデータ処理方法、データ処理装置および記憶媒体を提供することを他の目的とする。
【課題を解決するための手段】
【００１３】
上記目的を達成するために、本発明のデータ処理方法は、複数の画像データ記憶可能な記憶手段を具備する画像処理装置の前記記憶手段に記憶された画像データの閲覧要求を、データ処理装置から前記画像処理装置へ、送信させ、前記画像処理装置による前記閲覧要求の受信がなされたうえで前記画像処理装置から出力される、前記画像処理装置が具備する前記記憶手段の画像データの閲覧表示データを、前記データ処理装置により、受信させ、前記データ処理装置による前記閲覧表示データの受信がなされたうえで、前記画像データの前記閲覧表示データを前記データ処理装置の表示手段により表示させ、且つ、前記データ処理装置の前記表示手段を介して、前記画像データの印刷要求を、ユーザから受付可能にし、前記画像処理装置が具備する前記記憶手段に記憶されている画像データのうちの、前記データ処理装置の前記表示手段により前記閲覧表示データが表示対象の画像データに該当する画像データを、前記データ処理装置の前記表示手段を介して前記印刷要求がなされたうえで、前記画像処理装置により、印刷させる、ことを特徴とする。
【発明の効果】
【００１４】
以上説明したように請求項１記載の本発明によれば、複数の画像データ記憶可能な記憶手段を具備する画像処理装置の前記記憶手段に記憶された画像データの閲覧要求を、データ処理装置から前記画像処理装置へ、送信させ、前記画像処理装置による前記閲覧要求の受信がなされたうえで前記画像処理装置から出力される、前記画像処理装置が具備する前記記憶手段の画像データの閲覧表示データを、前記データ処理装置により、受信させ、前記データ処理装置による前記閲覧表示データの受信がなされたうえで、前記画像データの前記閲覧表示データを前記データ処理装置の表示手段により表示させ、且つ、前記データ処理装置の前記表示手段を介して、前記画像データの印刷要求を、ユーザから受付可能にし、前記画像処理装置が具備する前記記憶手段に記憶されている画像データのうちの、前記データ処理装置の前記表示手段により前記閲覧表示データが表示対象の画像データに該当する画像データを、前記データ処理装置の前記表示手段を介して前記印刷要求がなされたうえで、前記画像処理装置により、印刷させるので、前記画像処理装置の前記記憶手段に記憶された画像データの為の閲覧を前記データ処理装置にて行うことができ、且つ、前記データ処理装置にて閲覧を行ったうえで前記画像データの印刷指示が前記データ処理装置から可能となり、満足な印刷結果を得ることが可能となる。又、請求項８、９記載の本発明においても同等の効果を得ることができる。
【発明を実施するための最良の形態】
【００１５】
本発明のデータ処理方法、データ処理装置および記憶媒体の実施の形態について説明する。本実施形態のデータ処理装置は画像処理装置に適用される。
【００１６】
［第１の実施形態］
図１は第１の実施の形態における画像処理装置の構成を示すブロック図である。この画像処理装置は、リーダ部１、フォーマッタ部２、プリンタ部３、ファクシミリ部４、コア部５、ファイル部６、ネットワークインターフェース部（ネットワークサーバ部）７および操作パネル部８を有する。
【００１７】
リーダ部１は原稿の画像を読み取り、原稿画像に応じた画像データをプリンタ部３およびファイル部６に出力する。フォーマッタ部２はパーソナルコンピュータやワークステーションからネットワークを介して転送されてきたＰＤＬ（Ｐａｇｅ  Ｄｅｓｃｒｉｐｔｉｏｎ  Ｌａｎｇｕａｇｅ  ：ページ記述言語）データをプリンタ部３で印刷可能な画像データに展開する。
【００１８】
プリンタ部３はリーダ部１およびファイル部６からの画像データに応じた画像を記録紙に印刷する。
【００１９】
ファクシミリ部４は電話回線１２を介して受信した圧縮画像データを伸長し、伸長された画像データをコア部５に転送すると共に、コア部５から転送された画像データを圧縮し、圧縮された圧縮画像データを電話回線１２を介して送信する。
【００２０】
ファイル部６には、光磁気ディスクドライブユニット（大容量ディスク装置）９やハードディスクユニット（直接アクセス記憶装置）１０など、画像データの記録可能な記憶装置が接続されており、コア部５から転送された画像データを記録する。
【００２１】
ファイル部６は、コア部５を介して転送されたキーワードに基づいて光磁気ディスクに記憶されている圧縮画像データを検索し、検索された圧縮画像データを読み出して伸長し、伸長された画像データをコア部５に転送する。画像データベースとして利用される画像データファイルはファイル部６に格納されている。
【００２２】
ネットワークインターフェイス部７は、パーソナルコンピュータ（ＰＣ）やワークステーション（ＷＳ）とコア部５との間のインターフェイスであると共に、ネットワークサーバでもあり、ネットワーク制御の中枢として構成されている。
【００２３】
ネットワークインターフェイス（ネットワークサーバ）部７は、ネットワーク上のパーソナルコンピュータやワークステーションと通信を行い、ファイル部６に格納されている画像データの閲覧要求やプリント要求を受け付ける。
【００２４】
操作パネル部８は、例えばタッチパネル式の液晶パネルとして構成されており、コア部５に接続されている。操作パネル部８は画像処理装置を制御したり、画像表示装置の状態を表示する機能を有しており、後述する属性情報の入力、画像データやプリンタの選択、印刷条件の設定に使用される。
【００２５】
この場合、操作パネル部８を介して行われる各種入力や設定を行う手段は、タッチパネル式の液晶に限定されるものでなく、例えばキー入力部と表示部とが分割されたものでもよい。
【００２６】
図２は画像処理装置のコア部５の構成を示すブロック図である。コア部５は、ＣＰＵ２１、ＲＯＭ２２、不揮発性のメモリ２３、画像メモリ２４、データ処理部２５、インターフェイス部２６およびＲＡＭ２７を有する。
【００２７】
コア部５では、リーダ部１からの画像データはインターフェース部２６を介してデータ処理部２５に転送されるとともに、画像メモリ２４に一時的に蓄積される。また、リーダ部１からの制御コマンドはＣＰＵ２１に転送される。
【００２８】
ＣＰＵ２１は、ＲＯＭ２２に格納されている制御用プログラム、あるいはリーダ部１や操作パネル部８から転送されたコマンドにしたがって、データ処理部２５における動作を制御する。
【００２９】
不揮発性メモリ２３は、画像処理装置のデータベース機能を提供するために必要なデータの管理ファイル（インデックスファイル）を格納しておく部分である。画像メモリ２４はリーダ部１やファイル部６からインターフェイス部２６を介して転送される画像データを一時的に蓄積する。ＲＡＭ２７はＣＰＵ２１の作業領域として使われる。
【００３０】
データ処理部２５は、画像メモリ２４に一時的に蓄積されている画像データに対して回転処理、変倍処理、解像度変換等の画像処理を行う部分であり、解像度変換を伴う縮小画像を作成する部分である。データ処理部２５は、操作パネル部８で設定された情報を基に画像処理を行い、処理された画像データをインターフェース部２６を介してファイル部６、プリンタ部３、ネットワークインターフェース部７およびファクシミリ部１２に転送する。
【００３１】
このように、本実施形態の画像処理装置は、コア部５を中心として、原稿画像の読み取り、画像のプリント、画像の送受信、画像の保存、コンピュータからのデータの入出力などの複合機能を有する。
【００３２】
図３は画像データの属性情報が付加された画像データファイルと作成された縮小画像との関連を示す図である。タイトル、日付、時間、ユーザＩＤ、クライアント表示用縮小画像（解像度指定）などの属性を表す画像属性情報は、画像データに合わせて１つの画像データファイルとしてファイル部６に格納される。
【００３３】
ユーザＩＤは登録画像に対する管理権限を示すものであり、元画像をネットワーク上から閲覧する際や削除する際に利用される。これらの属性は画像データに固有のものであり、タイトルが省略された場合、登録（読み込み）が行われた日付および時間がタイトルの代わりとして使用されることになる。これらの情報を元画像と同一ファイルにして記録することで複数の画像を記録しても属性情報にズレが生じないようにされている。
【００３４】
図４はデータ管理用ファイルであるインデックスファイルを示す図である。インデックスファイルは画像タイトルと格納場所であるディスクの位置情報とが関連付けされたテーブルを有する。位置情報は記憶装置（ディスク）の種別とディスク上の論理アドレス（ＬＢＡ：Ｌｏｇｉｃａｌ  Ｂｌｏｃｋ  Ａｄｄｒｅｓｓ）の組み合わせを数値で表現したものである。
【００３５】
図５は操作パネル部８に表示された画像登録時の属性設定画面を示す図である。操作パネル部８は、登録する画像のタイトル、登録される日時、画像の管理権限を示すユーザＩＤ、縮小画像を作成するための解像度を、オペレータが画面上で設定できるようになっている。ユーザＩＤ以外は入力を行わなくてもデフォルト値が設定されている。タイトルの入力が省略されると、代わりに日時が使用される。図には、縮小画像の解像度が１００ｄｐｉに設定された場合が示されている。また、これらのデフォルト値を変更することも可能である。
【００３６】
上記構成を有する画像処理装置の動作について説明する。図６は画像処理装置の動作処理手順を示すフローチャートである。この処理プログラムはコア部５内のＲＯＭ２２に格納されており、ＣＰＵ２１によって実行される。まず、リーダ部１から画像を取り込み、データベースに登録するまでの動作について説明する。始めに、リーダ部１に原稿を置き、画像の読み取り開始を指示する。このとき、操作パネル部８には、画像データ登録に関する属性情報を設定する画面が表示されている（図５参照）。
【００３７】
登録者は、画面上に表示されているタイトル、ユーザＩＤ、縮小画像を作成する際の解像度を選択し、画面上のＯＫボタン２９を押すと（ステップＳ３０１）、リーダ部１により画像の読み込みを開始する（ステップＳ３０２）。
【００３８】
読み込みの解像度はリーダ部１の仕様により定められている。読み込まれた画像はコア部５内の画像メモリ２４に一旦、格納される。コア部５内で選択された縮小画像の解像度に基づき、データ処理部２５により画像メモリ２４に格納された画像の縮小画像データを作成する（ステップＳ３０３）。
【００３９】
作成した縮小画像データをその他の属性情報（タイトル、登録日付時間、ユーザＩＤ）に加え、加えた後の属性情報を元の画像データに付加して画像データファイルとする（ステップＳ３０４）。さらに、画像データファイルの属性情報のタイトルをインデックスファイルに登録し（ステップＳ３０５）、ファイル部６に接続されている記憶装置（ハードディスクユニット１０）に記録する（ステップＳ３０６）。このとき、記録した位置情報も先ほど登録したインデックスファイルに記録される。これにより、画像を登録する処理を終了する。
【００４０】
尚、登録者が設定項目であるタイトル欄に何も入力しない場合、登録した日時がタイトルとして代用される。
【００４１】
つぎに、ネットワーク上のクライアントで画像データを閲覧するときの動作について説明する。図７は画像閲覧処理手順を示すフローチャートである。この処理プログラムはコア部５内のＲＯＭに格納されており、ＣＰＵ２１によって実行される。ネットワーク上のクライアントから本装置に対してアクセスの要求が行われると、ネットワークインターフェース部（ネットワークサーバ部）７の機能であるＷＷＷサーバとしての仕組みを利用し、コア部５は不揮発性メモリ２３に格納されているインデックスファイルを基にインデックス（ＩＮＤＥＸ）を生成する。
【００４２】
インデックス（ＩＮＤＥＸ）は登録されている画像ファイルをネットワーク上のクライアントに提示するためのものであり、登録画像ファイルのタイトルと画像データファイルとを関連付ける。
【００４３】
クライアントは、インデックス（ＩＮＤＥＸ）から画像を指定すると、コア部５では指定された画像の検索を行う（ステップＳ４０１）。検索の結果、指定された画像データの有無を判別する（ステップＳ４０２）。指定された画像データがない場合、つまり、検索結果がＮＧである場合、「指定された画像は、現在の記憶装置にありません。」などのエラーメッセージを、ネットワークインターフェース部７を介してクライアントに送信する（ステップＳ４０８）。ファイル部６には複数の記憶装置が装着可能であるので、このようなエラーが存在する。
【００４４】
一方、検索の結果、指定された画像データがあると判別された場合、つまり、検索結果がＯＫである場合、関連付けされた画像データファイルの属性情報部分から縮小画像データを読み出し、クライアント側に送信する（ステップＳ４０３）。このとき、縮小画像の解像度も合わせてクライアントに送信して表示するようにする。
【００４５】
クライアント側が元の画像を要求しているか否かを判別し（ステップＳ４０４）、元の画像を要求していない場合、そのまま処理を終了する。一方、クライアント側が元の画像を要求している場合、指定された画像のユーザＩＤの要求をクライアント側に行う（ステップＳ４０５）。
【００４６】
要求に応じてクライアント側が設定して送信されきたユーザＩＤを予め登録されたユーザＩＤと照合し（ステップＳ４０６）、照合の結果、正しい場合（ＯＫ）、元画像を読み出して送信し（ステップＳ４０７）、処理を終了する。一方、クライアント側が設定したユーザＩＤが不正であった場合（ＮＧ）、エラーメッセージを送信し（ステップＳ４０８）、処理を終了する。
【００４７】
このように、第１の実施形態の画像処理装置では、クライアントからの閲覧要求時、従来では画像データの転送時間が長くかかっていたものをデータサイズの小さい画像を転送することで転送時間を大幅に短くすることができると共に、ネットワークの負荷の軽減（通信媒体上での通信量の軽減）を図ることができる。
【００４８】
また、解像度を低くした画像だけを公開することでデータベースに登録され、読み取られた高解像度の画像（元画像）の利用を制限することが可能となり、元の画像を保護することにも繋がる。これにより、登録されている元画像の改変を防ぐことができる。
【００４９】
［第２の実施形態］
第２の実施形態における画像処理装置は、前記第１の実施形態と同一のハードウェア構成（図１および図２参照）を有するので、その説明を省略する。
【００５０】
図８は画像データの属性情報が付加された画像データファイルを示す図である。タイトル、日付および時間、ユーザＩＤ、選択したプリンタ、プリンタ印刷設定などの属性を表す画像属性情報は、画像データと合わせて１つの画像データファイルとしてファイル部６に格納される。ユーザＩＤは登録画像に対する管理権限を示すものであり、元画像をネットワーク上で閲覧したり、削除したり、印刷時の設定を変更する際に利用される。
【００５１】
また、複数のプリンタを選択可能にするために、属性情報にはそれぞれのプリンタの印刷設定項目が設けられている。設定項目［Ｐｒｉｎｔｅｒ１］、［Ｐｒｉｎｔｅｒ２］には、それぞれプリンタを識別するための情報として、ネットワーク上の位置、名前、ステータス情報が設定されている。
【００５２】
これらの属性は画像データに固有のものであり、タイトルが省略された場合、登録（読み込み）が行われた日付および時間がタイトルの代わりとして使用される。これらの情報を元画像と同一ファイルにして記録することで複数の画像を登録しても属性情報にズレが生じないようにされている。
【００５３】
インデックスファイルは、前記第１の実施形態の図４に示したものと同一であり、画像タイトルと格納場所であるディスクの位置情報とが関連付けされたテーブルを有する。位置情報は記憶装置（ディスク）の種別とディスク上の論理アドレス（ＬＢＡ：Ｌｏｇｉｃａｌ  Ｂｌｏｃｋ  Ａｄｄｒｅｓｓ）の組み合わせを数値で表したものである。
【００５４】
図９は操作パネル部８に表示された画像登録時の属性設定画面を示す図である。属性設定画面には、登録する画像のタイトル、登録される日時、画像の管理権限を示すユーザＩＤ、および選択されたプリンタ名が表示されている。
【００５５】
属性設定画面の出力先設定ボタン３１を押すと、図１０に示すように出力可能なプリンタのリストが表示される。図１０は出力先設定画面を示す図である。プリンタリストの左側のチェックボックス３３にマークしてプリンタを選択することが可能である。出力可能なプリンタの情報として、本装置のプリンタ部３の他、ネットワーク上で出力可能なプリンタの情報が表示される。
【００５６】
選択されたプリンタは図９に反映される。プリンタをチェックすると、印刷時の設定情報、例えば、用紙サイズ、拡大縮小、ページレイアウト、印刷方向、部数、ソート、両面などの設定項目が表示される。これらは選択したプリンタの機能により異なるものである。右下の［Ｒｅｔｕｒｎ］ボタン３４を押下すると、図９の画面に戻る。
【００５７】
図１１はクライアント側で画像データベースに登録された画像を閲覧しているときの画面を示す図である。閲覧するソフトウェアは、各クライアントで異なっている場合もあるが、ここでは本装置のネットワークサーバ部７から送信される情報として、画像データ４０、タイトル４１、登録日時４２、印刷を指示するための印刷ボタン４３、選択されているプリンタ名４４の情報が送信されたことを示している。
【００５８】
クライアント側が利用している閲覧用ソフトウェアから印刷する場合、この画面のイメージで出力される。用意された印刷ボタン４３を指示（押下）すると、画像データだけがあらかじめ設定されているプリンタに出力される。つまり、プリンタ名が表示されている部分を指示してそのプリンタへの出力を行う。表示されているプリンタ全てを選択すると、全てのプリンタに出力することになる。
【００５９】
つぎに、画像処理装置における登録処理、画像の閲覧および印刷処理について説明する。図１２はリーダ部１から画像データを取り込んで画像データベースに登録するまでの動作処理手順を示すフローチャートである。この処理プログラムはコア部５内のＲＯＭ２２に格納されており、ＣＰＵ２１によって実行される。
【００６０】
始めに、リーダ部１に原稿を置き、読み取り開始を指示する。読み込みの解像度はリーダ部１の仕様により定められている。このとき、操作パネル部８には、画像データ登録に関する属性情報を設定する画面（図９）が表示されている。まず、登録者により画面上に表示されているタイトル、ユーザＩＤを設定し（ステップＳ５０１）、出力先が設定済みであるか否かを判別し（ステップＳ５０２）、出力先が設定済みである場合、画面上の［ＯＫ］ボタン３２を押すと、リーダ部１により画像の読み込みを開始する（ステップＳ５０４）。
【００６１】
一方、ステップＳ５０２で出力先が設定されていない場合、登録者により出力先を設定し（ステップＳ５０３）、ステップＳ５０１の処理に戻る。すなわち、出力先が設定されていない場合、図１０に示すプリンタ選択画面（出力先設定画面）を表示して出力先の設定を登録者に促す。出力先のプリンタとして、本装置のプリンタ部３とネットワーク上で利用可能なプリンタが表示される。
【００６２】
ステップＳ５０４で読み込まれた画像データはコア部５内の画像メモリ２４に一旦、格納される。出力先の情報を含めた属性情報（タイトル、登録日付時間、ユーザＩＤ）を元画像データに付加して画像データファイルとする（ステップＳ５０５）。
【００６３】
さらに、画像データファイルの属性情報のタイトルをインデックスファイルに登録し（ステップＳ５０６）、ファイル部６に接続されている記憶装置（ハードディスクユニット１０）に記録する（ステップＳ５０７）。このときに記録した位置情報も先ほど登録したインデックスファイルに記録される。これにより、登録処理を終了する。
【００６４】
尚、設定項目であるタイトル欄が登録者により入力されていない場合、登録した日時がタイトルとして代用される。
【００６５】
つぎに、画像データをクライアントから閲覧する場合について示す。図１３はネットワーク上のクライアントから画像データを閲覧するときの動作処理手順を示すフローチャートである。この処理プログラムはコア部５内のＲＯＭ２２に格納されており、ＣＰＵ２１によって実行される。
【００６６】
ネットワーク上のクライアントから本装置に対してアクセスの要求が行われると、ネットワークインターフェース部（ネットワークサーバ部）７の機能であるＷＷＷサーバーとしての仕組みを利用して、コア部５は不揮発性メモリ２３に格納されているインデックスファイルを基にインデックス（ＩＮＤＥＸ）を生成する。
【００６７】
インデックス（ＩＮＤＥＸ）は登録されている画像ファイルをネットワーク上のクライアントに提示するためのものであり、登録画像ファイルのタイトルと画像データファイルとを関連付ける。
【００６８】
クライアントはインデックス（ＩＮＤＥＸ）から画像を指定すると、コア部５では指定された画像の検索を行う（ステップＳ６０１）。検索の結果、指定された画像データがあるか否かを判別する（ステップＳ６０２）。指定された画像データがない場合、つまり、検索結果がＮＧである場合、「指定された画像は、現在の記憶装置にありません。」などのエラーメッセージをネットワークインターフェース部７を介してクライアントに送信する（ステップＳ６０６）。ファイル部６には複数の記憶装置が装着いい可能であるため、このようなエラーが存在する。
【００６９】
一方、検索の結果、ステップＳ６０２で検索された画像データがある場合、つまり、検索結果がＯＫである場合、関連付けされた画像データファイルの属性情報部分と画像データ部分を読み出し（ステップＳ６０３）、送信情報（表示用情報）を作成し（ステップＳ６０４）、図１１に示される表示用情報をクライアント側に送信する（ステップＳ６０５）。これにより、処理を終了する。
【００７０】
つぎに、画像データをクライアントから印刷する場合について示す。図１４は画像データをクライアントから印刷する動作処理手順を示すフローチャートである。始めに、クライアント側で表示されているプリンタを指示する。すなわち、図９に表示されている２つのプリンタ（ＭＰＦ１，ＭＰＦ２）に対し、１つのプリント出力を指示する。
【００７１】
そして、［印刷］ボタン４３が押下されると、クライアント側が選択したプリンタ名が本装置に送られてくるので、その情報を受信する（ステップＳ７０１）。選択されたプリンタを認識し、指定されたプリンタの情報を属性情報を基に取得する（ステップＳ７０２）。指定されたプリンタに画像データとプリンタ設定情報を送信する（ステップＳ７０３）。ここで、本装置内のプリンタ部３が指定されている場合、プリンタ部３にデータを送る。
【００７２】
プリント出力にエラーがあるか否かを判別し（ステップＳ７０４）、エラーがない場合、出力したプリンタ名を含めてクライアントに出力通知を行う（ステップＳ７０５）。一方、プリント出力にエラーがある場合、属性情報の出力に設定されている別のプリンタがあるか否かを判別する（ステップＳ７０７）。
【００７３】
別のプリンタがある場合、そのプリンタの出力を開始するために、ステップＳ７０２の処理に戻る。一方、別のプリンタがない場合、出力できなかったことをクライアントに通知する（ステップＳ７０８）。
【００７４】
クライアント側で選択された全てのプリンタの出力が終了したか否かを判別し（ステップＳ７０６）、出力していない選択プリンタが残っている場合、次のプリンタの出力を開始するために、ステップＳ７０２の処理に戻る。一方、全てのプリンタの出力が終了している場合、処理を終了する。
【００７５】
したがって、設定されていたプリンタに障害が起きた場合、次に設定されていたプリンタの印刷を開始させることが可能である。また、複数のプリンタに出力することも可能である。
【００７６】
このように、第２の実施形態の画像処理装置では、ネットワークからの画像データを印刷する際に登録者によってあらかじめ画像データの印刷条件が設定されているので、画像の利用者が印刷を要求する場合、最適な条件で出力することができる。
【００７７】
さらに、従来、公開されている画像を印刷する場合、自由度は高いもののクライアント側が全て印刷条件を設定しなければならないため、印刷に手間がかかっていたが、画像データを登録する際に登録者がプリンタの印刷条件を設定することで利用者の負担軽減に繋がる。
【００７８】
尚、第２の実施形態では、縮小画像データの作成を行わなかったが、前記第１の実施形態と同様に縮小画像データを作成して閲覧に供するようにしてもよい。
【００７９】
また、本発明は複数の機器から構成されるシステムに適用してもよいし、１つの機器からなる装置に適用してもよい。また、本発明はシステムあるいは装置にプログラムを供給することによって達成される場合にも適用できることはいうまでもない。この場合、本発明を達成するためのソフトウェアによって表されるプログラムを格納した記憶媒体をシステムあるいは装置に読み出すことによってそのシステムあるいは装置が本発明の効果を享受することが可能となる。
【００８０】
図１５は記憶媒体としてのコア部５内のＲＯＭ２２のメモリマップを示す図である。同図（Ａ）に示すＲＯＭ２２には、図６および図７に示す処理プログラムのプログラムモジュール、つまり、画像登録モジュールおよび画像送信モジュールが格納されている。同図（Ｂ）に示すＲＯＭ２２には、図１２、図１３および図１４に示す処理プログラムのプログラムモジュール、つまり、画像登録モジュール、画像送信モジュールおよび印刷処理モジュールが格納されている。
【００８１】
このようなプログラムモジュールを供給する記憶媒体としては、ＲＯＭに限らず、例えばフロッピー(登録商標)ディスク、ハードディスク、光ディスク、光磁気ディスク、ＣＤ−ＲＯＭ、ＣＤ−Ｒ、ＤＶＤ、磁気テープ、不揮発性のメモリカードなどを用いることができる。
【図面の簡単な説明】
【００８２】
【図１】第１の実施の形態における画像処理装置の構成を示すブロック図である。
【図２】画像処理装置のコア部５の構成を示すブロック図である。
【図３】画像データの属性情報が付加された画像データファイルと作成された縮小画像との関連を示す図である。
【図４】データ管理用ファイルであるインデックスファイルを示す図である。
【図５】操作パネル部８に表示された画像登録時の属性設定画面を示す図である。
【図６】画像処理装置の動作処理手順を示すフローチャートである。
【図７】画像閲覧処理手順を示すフローチャートである。
【図８】画像データの属性情報が付加された画像データファイルを示す図である。
【図９】操作パネル部８に表示された画像登録時の属性設定画面を示す図である。
【図１０】出力先設定画面を示す図である。
【図１１】クライアント側で画像データベースに登録された画像を閲覧しているときの画面を示す図である。
【図１２】リーダ部１から画像データを取り込んで画像データベースに登録するまでの動作処理手順を示すフローチャートである。
【図１３】ネットワーク上のクライアントから画像データを閲覧するときの動作処理手順を示すフローチャートである。
【図１４】画像データをクライアントから印刷する動作処理手順を示すフローチャートである。
【図１５】記憶媒体としてのコア部５内のＲＯＭ２２のメモリマップを示す図である。
【符号の説明】
【００８３】
１  リーダ部
３  プリンタ部
５  コア部
６  ファイル部
７  ネットワークインターフェース部（ネットワークサーバ部）
８  操作パネル部
２１  ＣＰＵ
２２  ＲＯＭ
２４  画像メモリ
２５  データ処理部
【図１】
2006331435.tif 000003
【図２】
2006331435.tif 000004
【図３】
2006331435.tif 000005
【図４】
2006331435.tif 000006
【図５】
2006331435.tif 000007
【図６】
2006331435.tif 000008
【図７】
2006331435.tif 000009
【図８】
2006331435.tif 000010
【図９】
2006331435.tif 000011
【図１０】
2006331435.tif 000012
【図１１】
2006331435.tif 000013
【図１２】
2006331435.tif 000014
【図１３】
2006331435.tif 000015
【図１４】
2006331435.tif 000016
【図１５】
2006331435.tif 000017